(57)【要約】【課題】電子レンジの制御基板において、操作基板との接続方法が二種類存在するのに対応することが可能な制御基板の接続構造を提供する。【解決手段】接続構造１は、制御基板上に、２種の接続方法に共用可能な共用接続部２によって構成されている。操作部のフラット感が必要な場合に使用されるＦＰＣコネクタ接続が第一ピン孔配列３により得られる。操作部にタクトスイッチやエンコーダを組み込んだ場合のケーブルコネクタ接続が第二ピン孔配列４によって得られる。接続方法が異なるそれぞれの接続に対応可能な共用接続部２を設けているので、遊休となる接続部分が少なくなりデッドスペースを解消することができる。また、制御基板の小型化にも寄与する。接続方法の違いに起因した電気特性の差異は、ディップスイッチ切替えで吸収される。【選択図】図１
2008103461.tif 000002
【特許請求の範囲】
【請求項１】
ＦＰＣコネクタ及びケーブルコネクタ接続用リセプタクルのどちらも接続可能な共用接続部を備えたことから成る制御基板の接続構造。
【請求項２】
前記共用接続部は、前記ＦＰＣコネクタの接続ピンを受容する第一ピン孔配列と前記ケーブルコネクタ接続用リセプタクルの接続ピンを受容する第二ピン孔配列とが重複配置されたピン孔配列を有することから成る請求項１に記載の制御基板の接続構造。
【請求項３】
前記共用接続部の前記ピン孔配列は、予め定められたピッチ間隔で並ぶ第一ピン孔列と、前記ピッチ間隔と同じピッチ間隔で並ぶとともに前記第一ピン孔列に対して前記ピッチ間隔の半分の長さでずれた状態で並行である第二ピン孔列とから成り、前記第一ピン孔配列は前記第一ピン孔列の一部と前記第二ピン孔列とから成り、前記第二ピン孔配列は前記第一ピン孔列から成る請求項２に記載の制御基板の接続構造。
【請求項４】
前記制御基板に対して前記ＦＰＣコネクタで接続される仕様の基板はＦＰＣ操作基板であり、前記ケーブルコネクタ接続用リセプタクルで接続される仕様の基板はコネクタ操作基板であることから成る請求項１〜３のいずれか１項に記載の制御基板の接続構造。
【請求項５】
接続先及び信号レベルを変更することによって前記両操作基板の電気特性の差異を吸収することにより、前記共用接続部に接続されるべき前記ＦＰＣ操作基板又は前記コネクタ操作基板に合わせて、前記制御基板又は前記各操作基板との電気的な接続がされていることから成る請求項４に記載の制御基板の接続構造。
【発明の詳細な説明】
【技術分野】
【０００１】
本発明は、例えば制御基板と操作基板とに分割構成された基板のような二つの基板を接続するのに適用可能な制御基板の接続構造に関する。
【背景技術】
【０００２】
制御部を有する家電機器製品、特に、加熱調理器においては、世界各国向け製品の仕向地別設計生産を行う際に、販売価格帯に応じた操作部構造を採用せざるを得ないことがある。また、使用言語及び地域独特の料理メニューに対応する操作特性及び表示画面を実現する必要がある。こうした仕向地別の生産に対応するため、加熱調理器の制御部は、これら要素の組合せに対応する多種多様にわたる仕様を有している。
【０００３】
このような多種多様な仕様に対応するため、加熱調理器の制御部は、加熱調理器の主たる制御を行う制御基板と、使用者による操作及び動作表示を行うユーザーインタフェイスに関する制御を行う操作基板とに分離された構成となっている。こうした分離構成によって、特定の加熱容量、加熱室構造を実現する基本部分については共通の制御基板により実現し、操作部構造、操作特性及び表示画面については、専用の操作基板により実現することで、設計と生産の合理化が図られている。
【０００４】
即ち、このように構成された制御部によれば、個別の仕様の製品の生産に際しては、機種独特の或いは類似機種と共通した仕様の制御基板に対して個別の操作基板を接続することにより、機種に共通した制御基板に基づく基本制御を確保しつつ、個別の操作基板に基づいた個別の仕様を実現している。
【０００５】
このような操作基板の設計に当たって、操作基板の仕様、各国安全規格等の要求事項、及びコスト上の制約から、マイクロプロセッサ等の主要部を収容した制御基板に操作基板を接続する方法としては、操作基板の構造に合わせて、ＦＰＣコネクタによる接続方法と、ケーブルコネクタを使用した接続方法との二種類の接続方法が存在している。
【０００６】
ＦＰＣは、Flexible Printed Circuitの略称であり、「屈曲性のある回路基板」のことである。一般的に、エッチング等により回路形成された銅箔を、ポリイミド等のフィルムで挟み込んだ構造であり、柔軟性、屈曲性、省スペース性及び機能性が優れている。制御基板へ接続されるべきＦＰＣコネクタの一例が斜視図として図９に示されている。ＦＰＣコネクタによる接続では、操作基板にはフラット基板を使用し、当該基板の延長部にフレキシブル端子部３１が形成されており、フレキシブル端子部３１がＦＰＣコネクタ３０に挿入される。ＦＰＣコネクタ３０の接続ピン３２（一部のみ、符号を付す）を図示しない制御基板に形成されているＦＰＣコネクタ接続孔に挿入することにより、操作基板（フラット基板）と制御基板とが接続される。操作基板にフラット基板を使用することで、操作部にはフラット感が得られる。なお、ＦＰＣコネクタ３０の接続ピン３２は、２．５ｍｍ（１／１０インチ）ピッチのピン３２の６本を２列持ち、２列の配置は、平行であって、半ピッチに相当する１．２５ｍｍ（１／２０インチ）だけ互いにずらされている。
【０００７】
これに対して、操作用のディスクリート部品であるタクトスイッチやエンコーダを組み込んで操作部を構成する場合は、操作基板は印刷基板であり、通常の回路基板上に挿入、ハンダ付を行い、他基板との接続にはケーブルコネクタが用いられる。制御基板へ接続されるべきケーブルコネクタとコネクタ用リセプタクルの一例が図１０に示されている。図１０に示すように、操作基板に接続されたケーブル４２の端末にケーブルコネクタ４０が接続され、リセプタクル４１に備わる接続ピン４３を制御基板（図示せず）に設けられているリセプタクル接続孔に挿入してリセプタクル４１を制御基板に接続させておく。その状態で、ケーブルコネクタ４０をリセプタクル４１に挿入・嵌合することにより、ケーブル４２の各端子が接続ピン４３と接続され、制御基板と操作基板とが接続される。ケーブルコネクタ４０を使用して接続される操作基板が備わる操作部は、回転ダイアル、切り替えスイッチなど、機械的な操作感のある操作部である。なお、ケーブルコネクタ４０は、７ピンであり、２．５ｍｍ（１／１０インチ）ピッチで直線上に配置されている。
【０００８】
従来の基板の接続方法として、産業機器、民生機器等に仕様されるプリント基板において、部品の誤挿入を防止するものが提案されている（特許文献１）。この提案によれば、使用する機器の機能に応じて、コネクタの極数、挿入位置をシルク印刷によって色分け明示するとともに、使用するコネクタにより未使用のコネクタ挿入穴を塞ぐジャンパーセンのような誤挿入防止手段が設けられるので、機器に応じてプリント基板の確実なアセンブリを可能にしている。
【０００９】
また、端子間のピッチが大きい旧基板と端子間のピッチが小さい新基板とを接続する場合の基板共用コネクタが提案されている（特許文献２）。この提案によれば、新旧の基板を区別し、隣接する端子群のうち一部の端子のみを有効にすることで、旧基板は、新基板に設けられている検出器を検出するスイッチを備えているので、接続すべき相手基板が新基板であれば、イネーブルされたバッファを介して新基板の信号群を旧基板の信号群と電気的に接続可能としている。
【００１０】
上記のように、マイクロプロセッサなどの主要部を収容した制御基板と操作部のために用いられる操作基板との接続に二種類の接続方法を可能とすることにより、外観及び操作性の異なる２種類の操作基板が利用可能となった。しかしながら、両接続方法の接続ピン数及びピン配列が異なることから、両形式の操作基板に接続可能な制御基板には、基板上にそれぞれの接続に対応した接続孔が形成された接続部分を設ける必要がある。また、マイクロプロセッサなどの制御部回路要素から当該接続部分の接続孔までの配線を導電体パターンとして設ける必要がある。このように、制御基板においては、接続に必要な専有面積が大きく、使用していない接続方法に対応する部分はデッドスペースとなっていたため、基板の小型化が困難であった。
【００１１】
図８は、従来技術による制御基板の接続構造（コネクタの実装形態）の一例を斜めから撮った写真図である。制御基板２０上に、ＦＰＣコネクタ（コネクタＣＮ−Ａ）及び周辺部品、並びにハーネス用コネクタ（コネクタＣＮ−Ｂ）及び周辺部品の占有領域が設けられている。制御回路の仕様に対応して、ＦＰＣ接続又はケーブルコネクタ接続が採用され、これに合わせて周辺部品が実装される。図８に示されている接続構造はＦＰＣ接続仕様で利用されているので、ＦＰＣコネクタ３０が制御基板２０上の接続部２１に搭載されている。しかしながら、ケーブルコネクタ接続のリセプタクルは接続されないため、当該リセプタクル搭載用の接続部２２が遊休化している。逆に、ケーブルコネクタ接続の場合は、ＦＰＣコネクタ１１を搭載するのに利用される接続部２１が遊休化する。このように、従来の制御基板では二種類のコネクタを別々の位置に実装する構成としているため、いずれか一方のコネクタを利用して接続しても、使用していないコネクタ用の専有面積が遊休化するので、制御基板２０のレイアウトに不要部分が残り、制御部の省スペース化の要請に応えることができない。
【特許文献１】特開平２−１７７５８８号公報
【特許文献２】特開平２−２８８１７５号公報
【発明の開示】
【発明が解決しようとする課題】
【００１２】
そこで、制御基板の省スペース化を図るため、制御基板上において、接続部を上記のＦＰＣ接続とケーブルコネクタ接続との二種の接続方法に共用可能とする点で解決すべき課題がある。
【００１３】
この発明の目的は、制御基板上において、上記のＦＰＣ接続とケーブルコネクタ接続との二種の接続方法に対する接続部を個別に設けるのではなく、二種の接続方法に対して共用の接続部とすることで、制御基板の省スペース化を可能にする制御基板の接続構造を提供することである。
【課題を解決するための手段】
【００１４】
上記の課題を解決するため、この発明による制御基板の接続構造は、制御基板に、ＦＰＣコネクタ及びケーブルコネクタ接続用リセプタクルのどちらも接続可能な共用接続部を設けたことから成っている。
【００１５】
この制御基板の接続構造によれば、制御基板に対してＦＰＣ接続されるＦＰＣコネクタと、ケーブルコネクタ接続されるケーブルコネクタ接続用リセプタクルは、どちらか一方が制御基板に接続されるが、どちらを接続する場合も共用接続部に接続され、使用しない側のコネクタ用の接続部分が遊休化することがない。
【００１６】
この制御基板の接続構造において、前記共用接続部は、前記ＦＰＣコネクタの接続ピンを受容する第一ピン孔配列と前記ケーブルコネクタ接続用リセプタクルの接続ピンを受容する第二ピン孔配列とが重複配置されたピン孔配列を有することができる。即ち、第二ピン孔配列は、その殆どのピンが第一ピン孔配列に含まれるので、全体としては、共用接続部の専有面積は、ＦＰＣコネクタ接続部と略等しい専有面積とすることができる。
【００１７】
この制御基板の接続構造において、前記共用接続部の前記ピン孔配列は、予め定められたピッチ間隔で並ぶ第一ピン孔列と、前記ピッチ間隔と同じピッチ間隔で並ぶとともに前記第一ピン孔列に対して前記ピッチ間隔の半分の長さでずれた状態で並行である第二ピン孔列とから成り、前記第一ピン孔配列は前記第一ピン孔列の一部と前記第二ピン孔列とから成り、前記第二ピン孔配列は前記第一ピン孔列から成るとすることができる。
例えば、第一ピン孔列はピッチ間隔を２．５ｍｍとして７個が並ぶピン孔列とし、第二ピン孔列はピッチ間隔を同じく２．５ｍｍとして、ピッチ間隔の半分である１．２５ｍｍずらして６個が第一ピン孔列と並行に並ぶピン孔列とすることができる。したがって、ピン孔配列は、合計１３個のピン孔から成り、第一ピン孔列と第二ピン孔列とは千鳥状に等間隔で並ぶ。
ＦＰＣコネクタの接続において用いられる第一ピン孔配列は、第一ピン孔列の連続する６個のピン孔と、第二ピン孔列の全部である６個のピン孔とから成る、ＦＰＣコネクタのピン配列に対応した１２個のピン孔から構成することができる。また、ケーブルコネクタの接続において用いられる第二ピン孔配列は、リセプタクルのピン７本が挿入される第一ピン孔列の７個すべてのピン孔から構成することができる。
【００１８】
この制御基板の接続構造において、ＦＰＣ接続する仕様の基板は、ＦＰＣ操作基板とし、ケーブルコネクタ接続する仕様の基板はコネクタ操作基板とすることができる。また、接続先及び信号レベルを変更することによって前記両操作基板の電気特性の差異を吸収することにより、前記共用接続部に接続されるべき前記ＦＰＣ操作基板又は前記コネクタ操作基板に合わせて、前記制御基板又は前記各操作基板との電気的な接続を行うことができる。ケーブルコネクタを接続した際の接続先及び信号レベルはＦＰＣ接続の接続先と異なるものがあるため、接続先及び信号レベルを変更して、これらの差異を吸収することにより、制御基板と操作基板との電気的な接続が行われる。接続先及び信号レベルの変更は、例えば、ディップスイッチ切替え等によって行うことができる。
【発明の効果】
【００１９】
本発明による基板の接続構造は、上記のように構成されているので、次のような効果を奏する。即ち、制御基板の接続構造は、制御基板に、ＦＰＣコネクタ及びケーブルコネクタ接続用リセプタクルのどちらも接続可能な共用接続部を設けているので、制御基板に対してＦＰＣ接続されるＦＰＣコネクタと、ケーブルコネクタ接続されるケーブルコネクタ接続用リセプタクルとは、どちらの場合も共用接続部に接続可能である。このように共用接続部を設けることにより、制御基板上の遊休しているスペース、即ち、デッドスペースが解消され、その分、制御基板の小型化を実現することができる。
【発明を実施するための最良の形態】
【００２０】
図１には、この発明による制御基板の接続構造の一実施例が示されている。図１に示す接続構造１は、ＦＰＣコネクタ及びケーブルコネクタ接続用リセプタクルのどちらも接続可能な共用接続部２となっている。即ち、共用接続部２は、ＦＰＣコネクタ接続ピンを受容する第一ピン孔配列３とケーブルコネクタ接続用リセプタクルの接続ピンを受容する第二ピン孔配列４とが重複配置されたピン孔配列を有している。即ち、第一ピン孔配列３と第二ピン孔配列４とは、部分的に重なっており、図示の例では各ピン孔配列において、６つのピン孔が共通となっている。
【００２１】
共用接続部２のピン孔配列は、予め定められたピッチ間隔ｐで並ぶ第一ピン孔列５と、同じピッチ間隔ｐで並ぶとともに第一ピン孔列５に対してピッチ間隔の半分の長さ（ｐ／２）でずれた状態で並行である第二ピン孔列６とから成っている。図示の例では、第一ピン孔列５はピッチ間隔ｐを２．５ｍｍとして７個が並ぶピン孔７（一部にのみ、符号を付す）の列である。また、第二ピン孔列６はピッチ間隔ｐを同じく２．５ｍｍインチとして、ピッチ間隔ｐの半分である１．２５ｍｍずらされて６個が第一ピン孔列と並行に並ぶピン孔８（一部にのみ、符号を付す）の列である。したがって、ピン孔配列は、合計１３個のピン孔７，８から成り、第一ピン孔列５と第二ピン孔列６とは千鳥状に等間隔で並んでいる。
【００２２】
ＦＰＣコネクタの接続において用いられる第一ピン孔配列３は、第一ピン孔列５の一部（連続する６個のピン孔７）と第二ピン孔列６の全部（連続する６個のピン孔８）とを含んでおり、ＦＰＣコネクタのピン配列に対応した１２個のピン孔から成っている。
また、ケーブルコネクタの接続において用いられる第二ピン孔配列４は、リセプタクルのピン７本が挿入される第一ピン孔列５の全部（連続する７個のピン孔７）から成っている。第二ピン孔配列４は、その殆どのピンが第一ピン孔配列３に含まれるので、全体としては、共用接続部２の専有面積はＦＰＣコネクタ接続部である第一ピン孔配列３と略等しい専有面積とすることができる。
【００２３】
図２は、４×８のマトリックスの操作基板であるＦＰＣを使用する場合において、制御基板であるマイコンを含めた周辺回路図である。図２において、Ｇ１〜Ｇ８はマイコン（制御基板）からの出力信号をＦＰＣ（操作基板）へ伝達するコネクタ端子番号であり、Ｇ９〜Ｇ１２はＦＰＣからの出力信号をマイコンへ伝達するコネクタ端子番号を表す。これは、ｎ×ｍのマトリックスにした場合でも同様である。
【００２４】
コネクタＣＮ−Ａは、図１に示したように、ピンピッチが１．２５ｍｍのＦＰＣ用コネクタである。ピンが奇数番ピン及び偶数番ピンそれぞれが一列のピン配列となって併設されているため、奇数番ピン及び偶数番ピンはそれぞれピンピッチ（ｐ）２．５ｍｍで直線上に配列されている。図４の写真図に示されているように、制御基板１０の共用接続部２に、ＦＰＣコネクタ（コネクタＣＮ−Ａ）１１が装着されている様子が示されている。ＦＰＣコネクタ１１は、図８及び図９に示すＦＰＣコネクタ３０と同等であってよい。操作基板であるＦＰＣ（図示せず）は、フレキシブル・フラット・ケーブルを介してＦＰＣコネクタ１１に接続され、ＦＰＣコネクタ１１を経て制御基板１０に接続されている。
【００２５】
図６に示すように、ＦＰＣのコネクタ端子番号Ｇ１〜Ｇ１２とそのコネクタが制御基板に対して接続される接続ピンの行方との関係が示されている。即ち、Ｇ１〜Ｇ８は、マイコンにおいてピン番号１〜８に対応しており、Ｇ９〜Ｇ１２はマイコンにおいてピン番号９〜１２に対応している。なお、ＦＰＣにおいて、Ｆ１〜Ｆ９は、加熱調理器に適用された場合として、調理機能を設定するファンクションを行う専用キーに対応している。
【００２６】
図３は、操作部として、２×２のマトリックスのタクトスイッチ及びエンコーダを使用した場合の、ケーブルコネクタ接続によって接続されるマイコンを含めた周辺回路図である。図３において、コネクタ端子番号で、１番ピンはグランドであり、２、３番ピンはエンコーダからの出力信号をマイコンへ伝達する端子である。４、５番ピンはマイコンからの出力信号をタクトスイッチへ伝達するコネクタ端子番号であり、６、７番ピンはタクトスイッチが押されたときの出力信号をマイコンへ伝達する。これは、スイッチの数が増えた場合でも同様である。
【００２７】
写真図である図５に示すように、制御基板１０の共用接続部２に、ハーネス用コネクタ（即ち、コネクタＣＮ−Ｂ、或いはケーブルコネクタ接続用リセプタクル）１２が装着されている様子が示されている。タクトスイッチ及びエンコーダを備える操作基板（図示せず）は、ケーブルコネクタを介してハーネス用コネクタ１２に接続され、ハーネス用コネクタ１２を経て制御基板１０に接続されている。コネクタＣＮ−Ｂは、ピンピッチが２．５ｍｍのハーネスなど使用して接続するコネクタである。コネクタ端子番号ＧＮＤ、Ｇ２、Ｇ４、Ｇ６、Ｇ８、Ｇ１０、Ｇ１２に対して、順にピン番号１〜７が対応しており、図７には、タクトスイッチ及びエンコーダのコネクタ端子と制御基板に対して接続される接続ピン（ピン番号１〜７）の行方との関係が示されている。
【００２８】
本願発明により、ＦＰＣコネクタ（コネクタＣＮ−Ａ；図４に示す）１１又はハーネス用コネクタ（コネクタＣＮ−Ｂ；図５に示す）１２は、選択によってどちらか一方が、制御基板１０上の同位置に実装されるので、用途によってコネクタを使い分けることが可能となる。
【００２９】
本実施例では、コネクタＣＮ−Ｂを実装する場合には、コネクタＣＮ−Ｂピン配列に対応した実装孔を持つリセプタクル４１（図１０参照）を制御基板上に設ける。
【００３０】
コネクタＣＮ−Ｂを実装する場合は、コネクタＣＮ−Ａの偶数番ピン配列の実装孔に実装してコネクタＣＮ−Ｂのピンを制御基板に接続することにより、コネクタＣＮ−Ｂの２〜７番ピンが、実装孔のコネクタＣＮ−ＡのＧ２、Ｇ４、Ｇ６、Ｇ８、Ｇ１０、Ｇ１２の偶数ピンに対応した接続孔に接続される。即ち、コネクタＣＮ−Ｂは図１に示されているように、極数が７ピンである第一ピン孔列５に接続される。ＧＮＤ端子は、コネクタＣＮ−Ｂと使用する場合には、エンコーダを使用するため、基板上のＧＮＤパターンと接続される。
【００３１】
コネクタＣＮ−ＡとコネクタＣＮ−Ｂのピン配列が、このような接続を行った際の接続互換性を考慮していない場合、いずれかのコネクタを使用して接続したとき、必要な信号が伝達されず、必要な動作をしない可能性が高い。本実施例では、制御基板の設計において、コネクタＣＮ−ＡとコネクタＣＮ−Ｂのピン配列を接続互換性に考慮して決定し、かつ、仕様に応じて部品実装を変更することにより、コネクタＣＮ−ＡとコネクタＣＮ−Ｂに対する接続互換性を実現する構成としている。
【００３２】
本実施例では、エンコーダ出力信号は２、３番ピンに出力される。ここで、Ｒ６１、Ｒ６３の抵抗は未実装であるため、出力された信号は、マイコンの入力用端子に伝達されない。
【００３３】
ここで、回路図にあるように端子Ｇ２とＧ１１、Ｇ４とＧ９とを基板に予め準備しておいたＪ１６、Ｊ１７の位置にジャンパーを実装し、またＦＰＣ使用時にジャンパーを接続していたＪ１４、Ｊ１５に抵抗を実装し、さらに、ＦＰＣ使用時に未実装だったＣ６４、Ｃ６５にコンデンサを実装することで、エンコーダ信号はＧ１１、Ｇ９を介して、マイコンの入力用端子に伝達され、マイコンがエンコーダ信号を読み込むことができる。ここで、Ｒ６８、Ｒ７０の抵抗は未実装にする。
【００３４】
また、エンコーダ信号は、パルス波形であるので、マイコンで読み込む際には、通常の入力用端子から読み込むよりは、タイマ機能をもった入力用端子から読み込んだほうが処理しやすい。
ここで、エンコーダ信号について述べる。図１１にあるように、エンコーダは、Ａ相、Ｂ相の二つパルス波形を出力している。マイコンは、このパルス波形の位相差によって、エンコーダが正転か、逆転かを判断する。例えば、Ａ相のパルス波形の立ち上がり時に、Ｂ相のパルス波形がＨｉｇｈレベルかであれば正転であり、Ｌｏｗレベルであれば逆転であると判定する。
【００３５】
さらに、ＦＰＣ同様のマトリックス形式に回路を組み、なるべく多くのタクトスイッチを実装できるように配慮している。
ここで、タクトスイッチの信号検出について述べる。図１２にあるように、マイコンの出力端子は、一定間隔でストローク信号を出している。そこで、タクトスイッチが押されることで、接点がつながることになり、信号が伝達され、マイコンの入力用端子で読み込まれ、スイッチが入ったことを判定する。また、タクトスイッチが押されていないときは、マイコンの入力用端子側に接続されている抵抗によりプルアップされており、マイコンがＨｉｇｈレベルと判定し、スイッチが入っていないと判定する。
【００３６】
以上のように、仕様に合わせて選択した操作基板のＦＰＣまたはリボンコネクタに対応したコネクタＣＮ−ＡまたはコネクタＣＮ−Ｂを制御基板の実装穴に実装し、同じく、仕様に応じて合わせてジャンパーを設けることで、基板面積を広げることなく、仕様に応じて必要になる抵抗およびコンデンサ部品の定数変更とジャンパーの変更をし、制御基板と操作基板を接続することにより、所望の仕様の制御回路を製造することができる。
【図面の簡単な説明】
【００３７】
【図１】この発明による制御基板の接続構造に用いられる共用接続部の平面図。
【図２】操作基板としてＦＰＣを使用する場合の回路図。
【図３】操作部としてタクトスイッチ及びエンコーダを使用した場合の回路図。
【図４】図１に示す共用接続部に接続されるＦＰＣ用コネクタを撮った写真図。
【図５】図１に示す共用接続部に接続されるハーネス接続用コネクタを撮った写真図。
【図６】図２に示す制御基板の接続構造の１２ピンコネクタの一例を示す配線図。
【図７】図３に示す制御基板の接続構造の７ピンコネクタの一例を示す配線図。
【図８】従来の制御基板へのＦＰＣコネクタの接続例を斜めに撮った写真図。
【図９】制御基板に接続される従来の１２ピンＦＰＣコネクタの一例を示す斜視図。
【図１０】制御基板に接続される従来の７ピンケーブルコネクタとコネクタ用リセプタクルの一例を示す斜視図。
【図１１】エンコーダのパルス波形を示す図。
【図１２】タクトスイッチの信号波形を示す図。
【符号の説明】
【００３８】
１  接続構造                        ２  共用接続部
３  第一ピン孔配列                  ４  第二ピン孔配列
５  第一ピン孔列                    ６  第二ピン孔列
７  ピン孔                          ８  ピン孔
１０  制御基板                      １１  ＦＰＣコネクタ
１２  ハーネス用コネクタ（ケーブルコネクタ接続用リセプタクル）
２０  制御基板                      ２１  接続部（ＦＰＣコネクタ搭載用）
２２  接続部（リセプタクル搭載用）
３０  ＦＰＣコネクタ                ３１  フレキシブル端子部
３２  接続ピン
４０  ケーブルコネクタ              ４１  リセプタクル
４２  ケーブル                      ４３  接続ピン
ｐ  ピッチ間隔
【図１】
2008103461.tif 000003
【図２】
2008103461.tif 000004
【図３】
2008103461.tif 000005
【図４】
2008103461.tif 000006
【図５】
2008103461.tif 000007
【図６】
2008103461.tif 000008
【図７】
2008103461.tif 000009
【図８】
2008103461.tif 000010
【図９】
2008103461.tif 000011
【図１０】
2008103461.tif 000012
【図１１】
2008103461.tif 000013
【図１２】
2008103461.tif 000014